(57)【要約】      （修正有）【課題】プロジェクタを使用する者が投影する資料を確認することができるプロジェクタを提供する。【解決手段】画像を投影する投影部を前面に有するプロジェクタ１において、外部から画像データが入力される入力部と、前記投影部が投影する画像データと異なる画像データを表示する、プロジェクタ本体１の背面に設けられた背面表示部３と、前記画像データから、表示画像データを生成して背面表示部３に出力する表示画像処理手段と、背面表示部３で表示している画像データと異なる画像データから投影画像データを生成して前記投影部に出力する投影画像処理手段を有する。【選択図】図１
2009192852.tif 000002
【特許請求の範囲】
【請求項１】
画像を投影する投影部を前面に有するプロジェクタにおいて、
外部から画像データが入力される入力部と、
前記投影部が投影する画像データと異なる画像データを表示する、プロジェクタ本体の背面に設けられた背面表示部と、
前記画像データから表示画像データを生成して前記背面表示部に出力する表示画像処理手段と、
前記背面表示部で表示している画像データと異なる画像データから投影画像データを生成して前記投影部に出力する投影画像処理手段と、
を有することを特徴とする背面表示部付きプロジェクタ。
【請求項２】
表示画像処理手段は、入力部から入力された画像データを投影部で投影する前に、前記画像データから表示画像データを生成して背面表示部に出力することを特徴とする請求項１に記載の背面表示部付きプロジェクタ。
【請求項３】
表示画像処理手段は、入力部から入力された画像データのアイコンを、一定の領域に並列配置して、選択画像データを生成し、この選択画像データを背面表示部に出力して、背面表示部に選択画像を表示させ、
背面表示部に表示された前記選択画像上のアイコンを選択することにより、投影部で投影する画像データを選択する画像データ選択手段を有することを特徴とする請求項１に記載の背面表示部付きプロジェクタ。
【請求項４】
カーソル位置信号及びカーソル押下信号を生成するポインティングディバイスを有し、
表示画像処理手段は、前記カーソル位置信号に基づいて、カーソルを選択画像上に配置し、
画像データ選択手段は、前記カーソル位置信号及びカーソル押下信号に基づいて、投影部で投影する画像データを選択することを特徴とする請求項３に記載の背面表示部付きプロジェクタ。
【請求項５】
背面表示部上の接触位置を感知して、接触位置信号を生成するタッチパネルを、背面表示部上に貼設し、
画像データ選択手段は、前記タッチパネルが生成した接触位置信号に基づき、投影部で投影する画像データを選択することを特徴とする請求項３に記載の背面表示部付きプロジェクタ。
【請求項６】
プロジェクタの背面に、被写体の画像を結像するレンズと、このレンズで結像された被写体の画像を撮像して撮像データを生成するイメージセンサーとから構成される背面カメラを有し、
表示画像処理手段は、前記背面カメラが撮像した撮像データから表示画像データを生成して背面表示部に出力することを特徴とする請求項１〜５のいずれかに記載の背面表示部付きプロジェクタ。
【発明の詳細な説明】
【技術分野】
【０００１】
本発明は、背面に画像を表示する表示部を有するプロジェクタに関する。
【背景技術】
【０００２】
近年、会議の場において、会議の出席者に資料を説明するために、前記資料をスクリーンに拡大表示するプロジェクタが広く用いられている。
【０００３】
このようなプロジェクタを使用する際に、資料を説明する者は、プロジェクタで次に表示される資料が何であったか忘れている場合や、分からない場合もあり、資料の説明を円滑にすることができないという問題がある。また、会議の場で、会議とは関係のない資料や、表示してはいけない極秘資料を表示してしまう問題もある。
【０００４】
特許文献１には、上面に表示画面が設けられているプロジェクタが開示されている。しかし、前記問題の解決手段は開示されていない。特に、近年、プロジェクタからスクリーンまでの投影距離が１ｍ以下、例えば、３０ｃｍから８０ｃｍの距離で大画面を広角レンズで近接投影するプロジェクタがプロジェクタからスクリーンまでのデッドスペースを著しく削減できるとして注目されている。このようなプロジェクタは、通常、会議の全出席者より前方、特に投影画面の説明者よりも前方（スクリーン寄り）に設置されるので、上面に表示画面が設けられていても、実際には会議出席者、説明者が見ることができなかった。
【特許文献１】特開２００１−１７４９１５号公報
【発明の開示】
【発明が解決しようとする課題】
【０００５】
本発明は、上記問題を解決し、プロジェクタを使用する者が投影する資料を確認することができるプロジェクタを提供することを目的としてなされたものである。
【課題を解決するための手段】
【０００６】
上記課題を解決するためになされた請求項１に記載の発明は、画像を投影する投影部を前面に有するプロジェクタにおいて、
外部から画像データが入力される入力部と、
前記投影部が投影する画像データと異なる画像データを表示する、プロジェクタ本体の背面に設けられた背面表示部と、
前記画像データから、表示画像データを生成して前記背面表示部に出力する表示画像処理手段と、
前記背面表示部で表示している画像データと異なる画像データから投影画像データを生成して前記投影部に出力する投影画像処理手段と、
を有することを特徴とする。
【０００７】
請求項２に記載の発明の表示画像処理手段は、入力部から入力された画像データを投影部で投影する前に、前記画像データから表示画像データを生成して背面表示部に出力することを特徴とする。
【０００８】
請求項３に記載の表示画像処理手段は、入力部から入力された画像データのアイコンを、一定の領域に並列配置して、選択画像データを生成し、この選択画像データを背面表示部に出力して、背面表示部に選択画像を表示させ、
背面表示部に表示された前記選択画像上のアイコンを選択することにより、投影部で投影する画像データを選択する画像データ選択手段を有することを特徴とする請求項１に記載の背面表示部付きプロジェクタ。
【０００９】
請求項４に記載の発明は、請求項３に記載の発明において、カーソル位置信号及びカーソル押下信号を生成するポインティングディバイスを有し、
表示画像処理手段は、前記カーソル位置信号に基づいて、カーソルを選択画像上に配置し、
画像データ選択手段は、前記カーソル位置信号及びカーソル押下信号に基づいて、投影部で投影する画像データを選択することを特徴とする。
【００１０】
請求項５に記載の発明は、請求項３に記載の発明において、背面表示部上の接触位置を感知して、接触位置信号を生成するタッチパネルを、背面表示部上に貼設し、
画像データ選択手段は、前記タッチパネルが生成した接触位置信号に基づき、投影部で投影する画像データを選択することを特徴とする。
【００１１】
請求項６に記載の発明は、プロジェクタの背面に、被写体の画像を結像するレンズと、このレンズで結像された被写体の画像を撮像して撮像データを生成するイメージセンサーとから構成される背面カメラを有し、
表示画像処理手段は、前記背面カメラが撮像した撮像データから表示画像データを生成して背面表示部に出力することを特徴とする。
【発明の効果】
【００１２】
請求項１に記載の発明は、画像を投影する投影部を前面に有するプロジェクタにおいて、外部から画像データが入力される入力部と、前記投影部が投影する画像データと異なる画像データを表示する、プロジェクタ本体の背面に設けられた背面表示部と、前記画像データから、表示画像データを生成して前記背面表示部に出力する表示画像処理手段と、前記背面表示部で表示している画像データと異なる画像データから投影画像データを生成して前記投影部に出力する投影画像処理手段を有することを特徴とする。このため、ユーザが画像データを背面表示部で確認することが可能となった。特に、近接投影プロジェクタにおいて、上面を覗き込みにスクリーン近くまで移動することなく画像データを背面表示部で確認することが可能となった。
【００１３】
請求項２に記載の発明の表示画像処理手段は、入力部から入力された画像データを投影部で投影する前に、前記画像データから表示画像データを生成して背面表示部に出力することを特徴とする。このため、画像データを用いてプレゼンテーションをする者が、次に投影部で投影する画像データを、背面表示部で確認することが可能となり、プレゼンテーションを円滑に進行させることが可能となった。
【００１４】
請求項３に記載の表示画像処理手段は、入力部から入力された画像データのアイコンを、一定の領域に並列配置して、選択画像データを生成し、この選択画像データを背面表示部に出力して、背面表示部に選択画像を表示させ、背面表示部に表示された前記選択画像上のアイコンを選択することにより、投影部で投影する画像データを選択する画像データ選択手段を有することを特徴とする。このため、ユーザが投影部で投影することを欲する画像データを素早く選択することが可能となり、また、余計な画像データが投影部で投影されることがなく、プレゼンテーションを円滑に進行させることが可能となった。特に、近接投影プロジェクタにおいて、上面を覗き込みにスクリーン近くまで移動することなく画像データをスクリーン手前に設置された近接投影プロジェクタの背面表示部で容易に選択することが可能となった。
【００１５】
請求項４に記載の発明は、請求項３に記載の発明において、カーソル位置信号及びカーソル押下信号を生成するポインティングディバイスを有し、表示画像処理手段は、前記カーソル位置信号に基づいて、カーソルを選択画像上に配置し、画像データ選択手段は、前記カーソル位置信号及びカーソル押下信号に基づいて、投影部で投影する画像データを選択することを特徴とする。このため、ユーザが投影部で投影することを欲する画像データを素早く選択することが可能となり、また、余計な画像データが投影部で投影されることがなく、プレゼンテーションを円滑に進行させることが可能となった。
【００１６】
請求項５に記載の発明は、請求項３に記載の発明において、背面表示部上の接触位置を感知して、接触位置信号を生成するタッチパネルを、背面表示部上に貼設し、画像データ選択手段は、前記タッチパネルが生成した接触位置信号に基づき、投影部で投影する画像データを選択することを特徴とする。このため、ユーザが投影部で投影することを欲する画像データを素早く選択することが可能となり、また、余計な画像データが投影部で投影されることがなく、プレゼンテーションを円滑に進行させることが可能となった。また、画像データを選択するユーザは、背面表示部に表示されたアイコンに触れるだけで、直感的に且つ容易に投影する画像データを選択すること可能となった。
【００１７】
請求項６に記載の発明は、プロジェクタの背面に、被写体の画像を結像するレンズと、このレンズで結像された被写体の画像を撮像して撮像データを生成するイメージセンサーとから構成される背面カメラを有し、表示画像処理手段は、前記背面カメラが撮像した撮像データから表示画像データを生成して背面表示部に出力することを特徴とする。このため、例えばユーザが、紙資料を背面カメラの背後に配置して、背面カメラで撮像し、必要な場合にはユーザは、投影部で投影する前に、背面表示部表示された紙資料の画像データを編集や選択をして、投影部で投影するという使用法も可能となり、大変便利である。
【発明を実施するための最良の形態】
【００１８】
以下に、図面を参照しつつ本発明の好ましい実施の形態を示す。図１は本発明の実施の形態を示す背面表示部付きプロジェクタ４０の説明図であり、背面表示部付きプロジェクタを背後から見た図である。図２は背面表示部付きプロジェクタ４０のブロック図である。図１に示されるように、背面表示部付きプロジェクタ４０のプロジェクタ本体１は、箱形形状をしている。プロジェクタ本体１の前面には、画像をスクリーン等の投影面７５に投影する投影部２が設けられている。プロジェクタ本体１の背面には、背面表示部３が設けられている。５は背面カメラであり、２７は画像信号入力部である。
【００１９】
以下、図２に示された背面表示部付きプロジェクタ４０の内部の構成の説明をする。背面表示部付きプロジェクタ４０は主に、背面表示部３、背面カメラ５、操作ボタン６、ＣＰＵ１２、ＲＡＭ１３、ＲＯＭ１４、入力部１６、ランプ制御回路２１、ランプ２２、照明光学系２３、光変調素子２４、結像光学系２５、画像信号入力部２７、画像処理回路２８、画像記憶メモリ２９、光変調素子ドライブ回路３０、ズーム調整機構３１とから構成されている。背面表示部３、背面カメラ５、操作ボタン６、ＣＰＵ１２、ＲＡＭ１３、ＲＯＭ１４、入力部１６、ランプ制御回路２１、画像処理回路２８、ズーム調整機構３１は相互にバス３５で接続されている。
【００２０】
ＣＰＵ（Ｃｅｎｔｒａｌ  Ｐｒｏｃｅｓｓｉｎｇ  Ｕｎｉｔの略）１２は、ＲＡＭ（Ｒａｎｄｏｍ  Ａｃｃｅｓｓ  Ｍｅｍｏｒｙの略）１３、ＲＯＭ（Ｒｅａｄ  Ｏｎｌｙ  Ｍｅｍｏｒｙの略）１４と協動して、各種演算、処理を行うものである。
【００２１】
ＲＡＭ１３は、ＣＰＵ１２に読み込まれて実行されるプログラムや、ＣＰＵ１２が処理するデータ、ＣＰＵ１２が処理したデータ、後述する「画像データ」等を、そのアドレス空間に一時的に格納するものである。
【００２２】
記憶部１５は、フラッシュメモリー等の不揮発性メモリや、ハードディスク等の記憶装置で構成されている。記憶部１５は、後述する入力部１６から入力された「画像データ」を記憶することができ、背面表示画面付きプロジェクタ４０の電源をＯＦＦにした場合であっても、記憶が保持されるようになっている。なお、本発明において、記憶部１５は必ずしも必須の構成要件でなく、入力部１６に、ＵＳＢメモリやハードディスク等のリムーバブルメディアを接続して、記憶部１５を前記リムーバブルメディアで代用することも可能である。つまり、「画像データ」を記憶部１５に保存することなく、入力部１６が前記リムーバブルメディアに記憶された「画像データ」にアクセスし、この「画像データ」をＲＡＭ１３に一時的に格納するように構成しても差し支えない。
【００２３】
ＲＯＭ１４には、背面カメラ付きプロジェクタ４０を制御する各種プログラムやパラメータが格納されている。当該各種プログラムが、ＣＰＵ１２で実行されることにより、各種機能を実現している。ＲＯＭ１４には、後述する表示画像処理手段１４ａや画像データ選択手段１４ｂ等のプログラムが格納されている。なお、バス３５に、不揮発性メモリやハードディスク等の記憶装置を接続して構成し、前記格納装置に前記各種プログラムやパラメータを格納する構造にしても差し支えない。
【００２４】
表示画像処理手段１４ａは、入力部１６に入力された「画像データ」を、画像処理して「表示画像データ」を生成し、背面表示部３に出力する手段である。本発明では、表示画像処理手段１４ａは、投影部２で投影している「画像データ」と異なる「画像データ」から「表示画像データ」を生成するようになっている。
【００２５】
画像データ選択手段１４ｂは、後で詳細に説明するように、ユーザの操作により、投影部２で投影する「画像データ」を選択する手段である。
【００２６】
なお、表示画像処理手段１４ａ、画像データ選択手段１４ｂを、ＡＳＩＣ（ＡｐｐｌｉｃａｔｉｏｎＳｐｅｃｉｆｉｃ Ｉｎｔｅｇｒａｔｅｄ Ｃｉｒｃｕｉｔ）として構成することとしても差し支えない。
【００２７】
操作ボタン６は、プロジェクタ本体１の外表面に設けられている。この操作ボタン６は、背面表示部付きプロジェクタ４０の各種設定を変更し、背面表示部付きプロジェクタ４０を操作するためのものである。ユーザが操作ボタン６を操作すると、「設定変更信号」や「操作信号」が生成され、バス３５を介して、各種プログラムに引き渡されるようになっている。
【００２８】
入力部１６は、外部から「画像データ」等のデータが入力され、このデータにアクセスもしくは前記データを取得するインターフェースである。入力部１６は例えば、ＬＡＮ（Ｌｏｃａｌ  Ａｒｅａ  Ｎｅｔｗｏｒｋ）や、ＵＳＢ（ＵｎｖｅｒＳａｌ  Ｓｅｒｉａｌ  Ｂｕｓの略、ＵＳＢ１．０、ＵＳＢ１．１、ＵＳＢ２．０を含む）、ＩＥＥＥ１３９４、ＲＳ２３２、ＲＳ４２２その他通信インターフェースを含めることができる。あるいは入力部１６は、無線を用いたものであってもよく、この場合のインターフェースとしては、ＩＥＥＥ８０２に規定されているいわゆる無線ＬＡＮやＢｌｕｅｔｏｏｔｈ、その他の無線インターフェースを含めることができる。
【００２９】
また、入力部１６は、ＣＤ−ＲＯＭドライブや、ＤＶＤ−ＲＯＭドライブ等のリムバブルディスクを読み取る装置であっても差し支えない。
【００３０】
なお、入力部１６に入力される「画像データ」には、ＪＰＥＧ（Ｊｏｉｎｔ  Ｐｈｏｔｏｇｒａｐｈｉｃ  ＥｘｐｅｒｔＳ  Ｇｒｏｕｐの略）、ＢＭＰ（Ｂｉｔｍａｐの略）、ＴＩＦＦ（Ｔａｇｇｅｄ  Ｉｍａｇｅ  Ｆｉｌｅ  Ｆｏｒｍａｔの略）、ＰＮＧ（Ｐｏｒｔａｂｌｅ  Ｎｅｔｗｏｒｋ  ＧｒａｐｈｉｃＳの略）、ＧＩＦ（ＧｒａｐｈｉｃＳ  Ｉｎｅｒｃｈａｎｇｅ  Ｆｏｒｍａｔの略）等の画像データや、ワードプロセッサソフト、表計算ソフト、プレゼーテンションソフト等のビジネスソフトによって作成された「画像データ」等が含まれる。
【００３１】
背面表示部３は、ＬＣＤ（Ｌｉｑｕｉｄ  ＣｒｙＳｔａｌ  ＤｉＳｐｌａｙの略、液晶表示素子）等で構成され、２次元に配列された画素から構成されている。背面表示部３は、表示画像処理手段１４ａが生成した「表示画像データ」から、画素を階調表現して、「表示画像」を表示する。本発明では、背面表示部３は、投影部２で投影する「画像データ」と異なる画像データが表示されるようになっている。
【００３２】
タッチパネル４は、背面表示部３上に貼設されている。ユーザが、タッチパネル４の表面を触れると、タッチパネル４は、その表面の接触位置を感知して、背面表示部３上の接触位置の情報である「接触位置信号」を生成する。なお、タッチパネル４は、本発明の実施形態によっては、必ずしも必須ではない。
【００３３】
背面カメラ５は、主にレンズと、イメージセンサーから構成されている。レンズは、被撮像物の画像をイメージセンサー上で結像させるものである。なお、前記レンズにズーム機構を持たせても差し支えない。イメージセンサーは、光を検出して電荷を発生させるフォトダイオード（画素）を二次元に配置したものである。イメージセンサーには、ＣＣＤ（Ｃｈａｒｇｅ  Ｃｏｕｐｌｅｄ  Ｄｅｖｉｃｅ  Ｉｍａｇｅ  ＳｅｎＳｏｒ）やＣＭＯＳ（Ｃｏｍｐｌｅｍｅｎｔａｒｙ  Ｍｗｔａｌ  Ｏｘｉｄｅ  Ｓｅｍｉｃｏｎｄｕｃｔｏｒ）が含まれる。前記レンズで結像された被写体の画像は、イメージセンサーの画素上で撮像され、「撮像データ」が生成される。
【００３４】
画像信号入力部２７は、外部からアナログ若しくはデジタルの「画像信号」が入力されるインターフェースである。画像信号入力部２７には、ＶＧＡ端子（Ｖｉｄｅｏ  ＧｒａｐｈｉｃＳ  Ａｒｒａｙの略）やＤＶＩ−Ｄ端子、ＤＶＩ−Ｉ端子等が含まれる。画像信号入力部２７には、パーソナルコンピュータ等の外部装置が接続され、前記外部装置が出力するアナログ若しくはデジタルの「画像信号」が入力されるようになっている。
【００３５】
投影部２は、ランプ制御回路２１、ランプ２２、照明光学系２３、光変調素子２４、結像光学系２５、画像処理回路２８、画像記憶メモリ２９、光変調素子ドライブ回路３０、ズーム調整機構３１とから構成されている。
【００３６】
ランプ制御回路２１は、ランプ２２に電流を供給するものである。ランプ２２は、水銀ランプやＬＥＤ（Ｌｉｇｈｔ  Ｅｍｉｔｔｉｎｇ  Ｄｉｏｄｅ）等であり、ランプ制御回路２１から電流が供給されると、発光するようになっている。照明光学系２３は、ランプ２２が発光した拡散光をより均一な照明光に集光し、光変調素子２４に出光するものである。
【００３７】
光変調素子２４は、ＬＣＤ（Ｌｉｑｕｉｄ  ＣｒｙＳｔａｌ  ＤｉＳｐｌａｙの略、液晶表示素子）であり、２次元に配列された透過性の多数の画素から構成されている。光変調素子２４は、光変調素子ドライブ回路３０から取得した信号電極駆動信号及び走査電極駆動信号に基づいて、前記多数の画素を階調表現して「投影画像」を生成する。なお、光変調素子２４は、ＤＭＤ（Ｄｉｇｉｔａｌ  Ｍｉｃｒｏｍｉｒｒｏｒ  Ｄｅｖｉｃｅ）等の光変調素子であっても差し支えない。
【００３８】
結像光学系２５は、多数のレンズから構成されている。結合光学系２５は、光変調素子２４を透過した照明光を、スクリーン７５等に結像するものである。
【００３９】
画像処理回路２８は、入力部１６が取得した「画像データ」、画像信号入力部２７に入力された「画像信号」を、バス３５を介して取得し、必要に応じてシャープネス補正、ガンマ補正、コントラスト補正、ホワイトバランス補正、台形補正等の画像処理を行い、「投影画像データ」を生成する回路である。「投影画像データ」は、光変調素子２４の画素の座標に対応する点について、Ｒ（赤）、Ｇ（緑）、Ｂ（青）のそれぞれの原色で、階調表現したデータである。画像処理回路２８は、入力部１６に入力された「画像データ」から「投影画像データ」を生成する投影画像処理手段となっている。なお、前記投影画像処理手段は、専用の回路である画像処理回路２８の代わりに、ＲＯＭ１４に格納された画像処理のプログラムをＣＰＵ１２で実行することにより実現することにしても差し支えない。
【００４０】
画像記憶メモリ２９は、画像処理回路２８が生成した「投影画像データ」を、一時的にそのアドレス空間に記憶するものである。
【００４１】
光変調素子ドライブ回路３０は、画像記憶メモリ２９から「投影画像データ」が入力され、この「投影画像データ」に基づいて、光変調素子２４の信号電極に印加する信号電極駆動信号、及び走査電極に印加する走査電極駆動信号を出力するものである。
【００４２】
ズーム調整機構３１は、結合光学系２５を自動的に合焦させる機構である。なお、結合光学系２５が、固定焦点レンズでパンフォーカスを実現している場合には、ズーム調整機構３１は不要である。
【００４３】
（本発明の基本動作のフロー）
図３に本発明の基本動作フローを示して、本発明の基本的な動作を説明する。背面表示部付きプロジェクタ４０をＯＮの状態にして、基本動作フローが開始すると、Ｓ１２「画像データ選択」の処理に進む。Ｓ１２の処理において、画像データ選択手段１４ｂは、入力部１６に入力され、ＲＡＭ１３に格納された「画像データ」から、背面表示部３で表示する「画像データ」を選択する。Ｓ１２の処理が終了すると、Ｓ１３「背面表示部表示」の処理に進む。
【００４４】
Ｓ１３「背面表示部表示」の処理において、表示画像処理手段１４ａは、Ｓ１２の処理で画像データ選択手段１４ｂが選択した「画像データ」を画像処理して「表示画像データ」を生成し、背面表示部３に出力する。「表示画像データ」が入力された背面表示部３は、「表示画像」を表示する。Ｓ１３の処理が終了すると、本発明の基本動作フローが終了する。
【００４５】
（第１の実施形態）
第１の実施形態は、プレゼンテーションデータ等のように、複数のページの「画像データ」で構成されていて、前記「画像データ」を投影部２で順番に表示する場合において、投影部２で表示する前の「画像データ」を背面表示部３で表示する実施形態である。例えば、ユーザが「画像データ」が保存されたＵＳＢメモリ等のリムーバブルメディアを入力部１３に接続すると、入力部１６が前記リムーバブルメディアにアクセスして、前記「画像データ」をＲＡＭ１３に格納し、投影部２で投影する前に、前記「画像データ」が背面表示部３で表示されるようになっている。なお、入力部１６がアクセスした前記「画像データ」を、記憶部１５に保存することとしてもよいし、記憶部１５に保存しなくてもよい。
【００４６】
図３の基本動作フローのＳ１２「画像データ選択」の処理において、画像データ選択手段１４ｂは、投影部２で投影する直前の「画像データ」を選択するようになっている。
【００４７】
このように、第１の実施形態では、投影部２で「画像データ」投影する前に、予め前記「画像データ」を背面表示部３で表示することにしたので、「画像データ」を用いてプレゼンテーションをする者が、次に投影部２で投影する「画像データ」を、背面表示部３で確認することが可能となり、プレゼンテーションを円滑に進行させることが可能となる。
【００４８】
（第２の実施形態）
図４に第２の実施形態の説明図を示し、図５に第２の実施形態の別例を示し、図６に第２の実施形態のフロー図を示し、以下、第２の実施形態について本発明を説明する。第２の実施形態は、入力部１６に入力された「画像データ」のアイコン３６を、背面表示部３に並列して表示し、ユーザが背面表示部３に表示された「画像データ」のアイコン３６を選択して、投影部２に投影する実施形態である。例えば、ユーザが、入力部１６に「画像データ」が保存されたUSBメモリ等のリムーバブルメディアを挿入すると、入力部１６は前記リムーバブルメディアにアクセスし、前記「画像データ」をＲＡＭ１３に格納する。このとき、「画像データ」を記憶部１５に保存することとしても良いし、記憶部１５に保存しなくてもよい。入力部１６から自由に「画像データ」にアクセスできる状態となれば、プロジェクタ４０の記憶部１５に格納されなくても、「画像データ」が入力部１６から入力されているとみなすことができる。
【００４９】
図４に示される実施形態では、背面表示画面付きプロジェクタ４０は、「カーソル位置信号」及び「カーソル押下信号」を生成する「ポインティングディバイス」を有している。ユーザは、前記「ポインティングディバイス」を操作することにより、背面表示部３に表示されたカーソル３８を移動させて、アイコン３６を選択することができるようになっている。
【００５０】
なお、前記「ポインティングディバイス」には、操作ボタン６や、背面表示画面付きプロジェクタ４０を操作するリモートコントローラ、プロジェクタ本体１に接続されたマウス、トラックボール、トラックパッド、ポインティングスティックが含まれる。ユーザがポインティングディバイスを操作すると、「カーソル位置信号」のＸ座標、Ｙ座標の数値が増減・加減するようになっている。また、「カーソル押下信号」は、ユーザがポインティングディバイスのボタンを押下した場合に出力される信号であり、ポインティングディバイスのボタンを素早く離した場合のいわゆる「クリック」の信号を含む。ユーザが、前記「ポインティングディバイス」を操作すると、「ポインティングディバイス」が生成した「カーソル位置信号」・「カーソル押下信号」が、背面表示画面付きプロジェクタ４０のプログラムに引き渡されるようになっている。
【００５１】
図５に示される実施形態では、背面表示画面付きプロジェクタ４０は、背面表示部３上に貼設されたタッチパネル４を有している。ユーザは、背面表示画面３上に表示されたアイコン３６に触れることにより、アイコン３６を選択することができるようになっている。
【００５２】
図４や図５に示される実施形態では、ユーザがＵＳＢメモリ等のリムーバブルメディア５０を入力部１６に接続すると、入力部１６が前記リムーバブルメディア５０内に記憶されている「画像データ」をアクセスするようになっている。なお、リムーバブルメディア５０は、ＵＳＢメモリ以外に、例えばハードディスク、コンパクトフラッシュ（登録商標）、ＳＤメモリーカード等が含まれる。また、第２の実施形態において、リムーバブルメディア５０に記憶された「画像データ」が、入力部１６に入力される実施形態だけでなく、ＬＡＮや無線ＬＡＮ等の通信手段により送信される「画像データ」が、入力部１６に入力される実施形態も含まれる。
【００５３】
第２の実施形態のフローが開始すると、Ｓ３１「画像データ有り？」の判断に進む。このＳ３１の判断において、入力部１６が「画像データ」にアクセスすることが可能となり、あるいは、入力部１６に「画像データ」が入力されると、Ｓ３２「画像データ格納」の処理に進む。一方で、入力部１６が「画像データ」にアクセスすることが可能とならず、あるいは、入力部１６に「画像データ」が入力されない場合には、Ｓ３７「終了？」の判断に進む。
【００５４】
Ｓ３２「画像データ格納」の処理において、例えば、入力部１６にリムーバブルメディア５０が接続されている場合には、リムーバブルメディア５０に記憶されている「画像データ」を、ＲＡＭ１３のアドレス空間に一時的に格納する。あるいは、ＬＡＮや無線ＬＡＮ等の通信手段により、入力部１６に「画像データ」が入力された場合には、この「画像データ」を、ＲＡＭ１３のアドレス空間に一時的に格納する。この際に、記憶部１５に保存することとしても差し支えない。Ｓ３２の処理が終了すると、Ｓ３３「背面表示部にアイコン表示」の処理に進む。
【００５５】
Ｓ３３「背面表示部にアイコン表示」の処理において、表示画像処理手段１４ａは、ＲＡＭ１３に格納された「画像データ」のアイコン３６を、一定の領域に並列配置して、「選択画像データ」を生成して背面表示部３に出力する。「選択画像データ」が入力された背面表示部３は、前記「選択画像データ」に基づき選択画像３７を表示する。アイコン３６には、「画像データ」を所謂サムネイル表示したアイコンや、「画像データ」のファイル名・保存日時等のデータを表示したアイコンが含まれる。なお、図４に示される実施形態では、表示画面処理手段１４ａは、「ポインティングディバイス」から、「カーソル位置信号」を取得し、この「カーソル位置信号」に基づいて、カーソル３８を選択画面３７上に配置するようになっている。Ｓ３３の処理が終了すると、Ｓ３４「アイコン選択」の判断に進む。
【００５６】
Ｓ３４「アイコン選択」の判断において、ユーザが背面表示部３に表示されたアイコン３６を選択する場合には、Ｓ３５「画像データ選択」の処理に進む。一方で、ユーザが背面表示部３に表示されたアイコン３６を選択しない場合には、Ｓ３７「終了？」の判断に進む。
【００５７】
図４に示された実施形態では、Ｓ３４の判断において、ユーザが「ポインティングディバイス」を操作することにより、カーソル３８を、アイコン３６上に移動させ、この状態で、ユーザが、「ポインティングディバイス」のボタンを押下すると、Ｓ３５の処理において、「ポインティングディバイス」が、「カーソル押下信号」を生成し、画像データ選択手段１４ｂに引き渡す。画像データ選択手段１４ｂは、カーソル３８が指し示すアイコン３６の「画像データ」を選択する処理を行う。Ｓ３５の処理が終了するとＳ３６「画像投影」の処理に進む。
【００５８】
一方で、図５に示される実施形態では、Ｓ３４の判断において、ユーザが、背面表示部３に表示されたアイコン３６上のタッチパネル４に指６０等で触れると、Ｓ３５の処理において、タッチパネル４が「接触位置信号」を生成し、画像データ選択手段１４ｂに引き渡す。画像データ選択手段１４ｂは、ユーザが指６０等で選択したアイコン３６の「画像データ」を選択する。Ｓ３５の処理が終了すると、Ｓ３６「画像投影」の処理に進む。
【００５９】
Ｓ３６「画像投影」の処理において、ＣＰＵ１２は、Ｓ３５の処理で画像データ選択手段１４ｂが選択した「画像データ」を画像処理回路２８に入力する命令をする。「画像データ」が入力された画像処理回路２８は、前記「画像データ」を画像処理して「投影画像データ」を生成し、一時的に画像記憶メモリ２９のアドレス空間に記憶させて、光変調素子ドライブ回路３０に出力する。光変調素子２４は「投影画像」を生成し、投影面７５に「投影画像」が投影される。Ｓ３６の処理が終了すると、Ｓ３７「終了？」の判断に進む。
【００６０】
Ｓ３７「終了？」の判断において、ユーザが操作ボタン６を操作することにより、終了することを選択した場合には、第２の実施形態が終了する。一方で、ユーザが終了することを選択しない場合には、Ｓ３１の判断に戻る。
【００６１】
このように、第２の実施形態では、「画像データ」のアイコン３６を、背面表示部３で表示して、ユーザが前記アイコン３６を選択することにしたので、ユーザが投影部２で投影することを欲する「画像データ」を素早く選択することが可能となり、また、余計な「画像データ」が投影部２で投影されることがないので、円滑にプレゼンテーションすることが可能となる。
【００６２】
（第３の実施形態）
次に図７に第３の実施形態のフロー図を示して、以下第３の実施形態について本発明を説明する。第３の実施形態は、背面カメラ５で撮像した「画像データ」を投影部２や背面表示部３で表示する実施形態である。第３の実施形態のフローが開始すると、Ｓ５２「背面カメラで撮像」の処理に進む。Ｓ５２の処理において、背面カメラ３は、表示画面付きプロジェクタ４０の背後を撮像して「画像データ」である「撮像データ」を生成する。撮像された「撮像データ」は、バス３５を介してＲＡＭ１３のアドレス空間に格納される。Ｓ５２の処理が終了すると、Ｓ５３「背面表示部で表示」の処理に進む。
【００６３】
Ｓ５３「背面表示部で表示」の処理において、表示画像処理段１４ａは、バス３５を介して、ＲＡＭ１３に格納された「撮像データ」を取得し、画像処理して「表示画像データ」を生成し、背面表示部３に出力する。「表示画像データ」が入力された背面表示部３は、前記「表示画像データ」に基づいて、表示画像（撮像データ）を表示する。Ｓ５３の処理が終了すると、Ｓ５４「編集操作有り？」の判断に進む。
【００６４】
Ｓ５４「編集操作有り？」の判断において、ユーザが、背面表示部３に表示された「撮像データ」を編集する場合には、Ｓ５５「画像合成」の処理に進む。一方で、ユーザが、背面表示部３に表示された「撮像データ」の編集をしない場合には、Ｓ５７「画像投影」の処理に進む。
【００６５】
Ｓ５４「編集操作有り？」の判断において、ユーザが、「撮像データ」を編集する操作を行うと、Ｓ５５「画像合成」の処理において、表示画像処理手段１４ａは、ユーザの操作に応じて、「撮像データ」から「合成画像データ」を生成し、更にこの「合成画像データ」から「合成表示画像データ」を生成する。前記編集には、複数の「撮像データ」を並列して配置する編集や、「撮像データ」をトリミングする編集等が含まれる。なお、ユーザが、「撮像データ」を編集する方法は、操作ボタン６を操作すること、プロジェクタ本体１に接続された「ポインティングディバイス」を操作すること、背面表示部３にタッチパネル４が貼設されている場合には、タッチパネル４を操作することにより編集することができるようになっている。Ｓ５５の処理が終了すると、Ｓ５６「背面表示部で表示」の処理に進む。
【００６６】
Ｓ５６「背面表示部で表示」の処理において、表示画像処理手段１４ａは、Ｓ５５の処理で生成した「合成表示画像データ」を背面表示部３に出力する。「合成表示画像データ」が入力された背面表示部３は、「合成表示画像」を表示する。ユーザは、投影部２で投影する前に、「合成画像」を背面表示部３で確認することができる。Ｓ５６の処理が終了すると、Ｓ５７「画像投影」の処理に進む。
【００６７】
Ｓ５７「画像投影」の処理において、ＣＰＵ１２は、Ｓ５５の処理において、ユーザが編集した「合成画像データ」を画像処理回路２８に入力する命令をする。「合成画像データ」が入力された画像処理回路２８は、前記「合成画像データ」から「合成投影画像データ」を生成し、一時的に画像記憶メモリ２９のアドレス空間に格納し、光変調素子ドライブ回路３０に出力する。光変調素子２４は「合成画像」を生成し、投影面７５に「合成画像」が投影される。Ｓ５７の処理が終了すると、Ｓ５８「終了？」の判断に進む。
【００６８】
Ｓ５８「終了？」の判断において、ユーザが操作ボタン６を操作することにより、終了することを選択した場合には、第３の実施形態フローが終了する。一方で、ユーザが終了することを選択しない場合には、Ｓ５２の判断に戻る。
【００６９】
なお、第２の実施形態と同様に、Ｓ５３の処理において、背面カメラ５で撮像された「撮像データ」のアイコンを背面表示部３で表示し、ユーザが背面表示部３で表示されたアイコンを、選択するようにしても差し支えない。
【００７０】
第３の実施形態では、例えばユーザが、紙資料を背面カメラ５の背後に配置して、背面カメラ５で撮像し、必要な場合にはユーザは、投影部２で投影する前に、背面表示部３で表示された紙資料「画像データ」を編集や選択をして、投影部２で投影するという使用法も可能となり、大変便利である。
【００７１】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う背面表示部付きプロジェクタもまた技術的範囲に包含されるものとして理解されなければならない。 
【図面の簡単な説明】
【００７２】
【図１】本発明の実施の形態を示す背面表示部付きプロジェクタの説明図である。
【図２】本発明の実施の形態を示す背面表示部付きプロジェクタのブロック図である。
【図３】本発明の基本動作フローである。
【図４】第２の実施形態の説明図である。
【図５】第２の実施形態の別例である。
【図６】第２の実施形態のフロー図である。
【図７】第３の実施形態のフロー図である。
【符号の説明】
【００７３】
１        プロジェクタ本体
２        投影部
３        背面表示部
４        タッチパネル
５        背面カメラ
６        操作ボタン
１２      ＣＰＵ
１３      ＲＡＭ
１４      ＲＯＭ
１４ａ    表示画像処理手段
１４ｂ    画像データ選択手段
１５      記憶部
１６      入力部
２１      ランプ制御回路
２２      ランプ
２３      照明光学系
２４      光変調素子
２５      結像光学系
２７      画像信号入力部
２８      画像処理回路
２９      画像記憶メモリ
３０      光変調素子ドライブ回路
３１      ズーム調整機構
３５      バス
３６      アイコン
３７      選択画像
３８      カーソル
４０      背面表示部付きプロジェクタ
５０      リムーバブルメディア（ＵＳＢメモリ）
６０      ユーザの指
７５      投影面
【図１】
2009192852.tif 000003
【図２】
2009192852.tif 000004
【図３】
2009192852.tif 000005
【図４】
2009192852.tif 000006
【図５】
2009192852.tif 000007
【図６】
2009192852.tif 000008
【図７】
2009192852.tif 000009